(57)【特許請求の範囲】
【請求項１】
前後一対の正面板と左右一対の側面板と上面部と底面部とを含み、中空の六面体形状を備える包装箱であって、
前記上面部は、前記左右一対の側面板の上端部に折曲線を介して各々連接された上面サイドフラップを内側に折り込むと共に、一方の正面板の上端部に折曲線を介して連接された上面メインフラップを折り重ね、該上面メインフラップの先端部に折曲線を介して連接された差込みフラップを他方の正面板の上端部分の内側に差し込むことによって形成されており、
前記左右一対の側面板の少なくとも一方の上端部分には、両端部が前記上面サイドフラップとの間の折曲線に接続する易破断線が、凹形状に延設して設けられており、
前記上面メインフラップの側縁部には、前記側面板の前記易破断線によって囲まれる破断部に収まる大きさの固着片が、折曲線を介して側方に突出して前記破断部と対応する位置に設けられており、
前記固着片は、前記上面部が形成された状態で、前記破断部に外側から重ねて接着されている包装箱。
【請求項２】
前記易破断線及び前記破断部は、前記他方の正面板に近接する部分に設けられている請求項１記載の包装箱。
【請求項３】
前記易破断線の前記他方の正面板から離れる側の端部に接続して、フラップ部易破断線が、前記上面サイドフラップの周縁部に到るように延設して設けられている請求項２記載の包装箱。
【請求項４】
前記フラップ部易破断線の前記上面サイドフラップの周縁部側の端部は、前記上面サイドフラップの周縁部分に切欠き形成された周縁切欠き部と接続している請求項３記載の包装箱。
【請求項５】
前記上面メインフラップの前記固着片が設けられた側縁部とは反対側の側縁部に、差込片が、折曲線を介して側方に突出して設けられており、前記易破断線及び前記破断部が設けられた一方の側面板と対向する他方の側面板の前記上面サイドフラップとの間の折曲線には、前記差込片と対応する位置に差込スリットが設けられており、前記上面部が形成された状態で、前記差込片が前記差込スリットに差込み係止される請求項１〜４のいずれか１項記載の包装箱。
【請求項６】
前記易破断線及び前記破断部が設けられた一方の側面板と対向する他方の側面板に連接された上面サイドフラップは、前後一対の正面板の幅の半分よりも長い長さで延設して設けられている請求項１〜５のいずれか１項記載の包装箱。
【請求項７】
前記底面部は、前記左右一対の側面板の下端部に折曲線を介して各々連接された底面サイドフラップを内側に折り込むと共に、一方の正面板の下端部に折曲線を介して連接された底面メインフラップを折り重ね、該底面メインフラップの先端部に折曲線を介して連接された差込みフラップを他方の正面板の下端部分の内側に差し込むことによって形成されており、
前記左右一対の側面板の少なくとも一方の下端部分には、両端部が前記底面サイドフラップとの間の折曲線に接続する易破断線が、凹形状に延設して設けられており、
前記底面メインフラップの側縁部には、前記側面板の前記易破断線によって囲まれる破断部に収まる大きさの固着片が、折曲線を介して側方に突出して前記破断部と対応する位置に設けられており、
前記固着片は、前記底面部が形成された状態で、前記破断部に外側から重ねて接着されている請求項１〜６のいずれか１項記載の包装箱。
【請求項８】
前記他方の正面板から上方に立設して、看板部が設けられている請求項１〜７のいずれか１項記載の包装箱。
【請求項９】
請求項１〜８のいずれか１項記載の包装箱に、化粧品用の容器が梱包されている化粧製品。
【請求項１０】
前記化粧品用の容器が、円柱形状の容器である請求項９記載の化粧製品。
【発明の詳細な説明】
【技術分野】
【０００１】
本発明は、包装箱及び化粧製品に関し、特に、中空の六面体形状を備える包装箱、及び該包装箱に化粧品用の容器を梱包した化粧製品に関する。
【背景技術】
【０００２】
例えば、化粧品類、薬品類、菓子類、文房具類や、その他の物品を収容する包装箱として、所定の形状に裁断された紙製やプラスチック製の薄板状のシート材料であるブランクを、折曲線に沿って折り曲げることで立体形状に組み立てたものが多用されている。ブランクを用いた包装箱は、一般に、前後一対の正面板や左右一対の側面板を含む矩形断面の筒状本体の内部に物品を収容すると共に、先端部に差し込みフラップ片を連接した蓋フラップ片によって筒状本体の上下の開口部を覆うことで、上面部や底面部を形成して、六面体形状に組み立てられる。
【０００３】
これらの包装箱では、一度開封した後に、物品を収容して再び封止した際に、開封する前と同じ状態に容易に復元できると、いたずら等によって収容した物品が改竄されるおそれがあることから、既に開封されたものであることが一見して判別できるようにした、改竄防止機能を備える包装箱も種々開発されている（例えば、特許文献１、特許文献２参照）。
【先行技術文献】
【特許文献】
【０００４】
【特許文献１】特開２００３−３４１６５６号公報
【特許文献２】特開２０１０−２４７８８５号公報
【発明の概要】
【発明が解決しようとする課題】
【０００５】
従来の改竄防止機能を備える包装箱では、例えばミシン目等からなる易破断線を破断させることで開封させるようになっており、易破断線が破断していることで、既に開封されたものであることが一見して判別できるようになっている。その一方で、易破断線を破断させて一度開封してしまうと、包装箱を再び封止することが困難になったり、開閉操作を行い難くなったりすることから、一度開封した後も、引き続いて、収容された物品を出し入れしながら、開閉操作をスムーズに行えるようにする、改竄防止機能を備える包装箱の開発が望まれている。
【０００６】
また、特に、収容される物品が、例えば化粧品用の容器である場合には、包装箱についても美観が要求されることから、包装箱が開封されるまでの間だけでなく、一度開封した後に、再び物品を収容した状態においても、易破断線や、易破断線を破断させた部分を、外観上目立たなくすることが望まれている。
【０００７】
本発明は、易破断線を破断させることで開封できるようにすると共に、一度開封した後も、物品を出し入れしながら、開閉操作をスムーズに行うことができ、また易破断線や易破断線を破断させた部分を外観上目立たなくして、美観を損わないようにすることのできる包装箱及び化粧製品を提供することを目的とする。
【課題を解決するための手段】
【０００８】
本発明は、前後一対の正面板と左右一対の側面板と上面部と底面部とを含み、中空の六面体形状を備える包装箱であって、前記上面部は、前記左右一対の側面板の上端部に折曲線を介して各々連接された上面サイドフラップを内側に折り込むと共に、一方の正面板の上端部に折曲線を介して連接された上面メインフラップを折り重ね、該上面メインフラップの先端部に折曲線を介して連接された差込みフラップを他方の正面板の上端部分の内側に差し込むことによって形成されており、前記左右一対の側面板の少なくとも一方の上端部分には、両端部が前記上面サイドフラップとの間の折曲線に接続する易破断線が、指の先端部が収まる大きさの凹形状に延設して設けられており、前記上面メインフラップの側縁部には、前記側面板の前記易破断線によって囲まれる破断部に収まる大きさの固着片が、折曲線を介して側方に突出して前記破断部と対応する位置に設けられており、前記固着片は、前記上面部が形成された状態で、前記破断部に外側から重ねて接着されている包装箱を提供することにより、上記目的を達成したものである。
【０００９】
また、本発明は、上記包装箱に、化粧品用の容器が梱包されている化粧製品を提供することにより、上記目的を達成したものである。
【発明の効果】
【００１０】
本発明の包装箱又は化粧製品によれば、易破断線を破断させることで開封できるようにすると共に、一度開封した後も、物品を出し入れしながら、開閉操作をスムーズに行うことができ、また易破断線や易破断線を破断させた部分を外観上目立たなくして、美観を損わないようにすることができる。
【図面の簡単な説明】
【００１１】
【図１】本発明の好ましい一実施形態に係る包装箱を、一部を透視した状態で示す斜視図である。
【図２】本発明の好ましい一実施形態に係る包装箱の組立工程を説明する、一部を透視した状態で示す斜視図である。
【図３】本発明の好ましい一実施形態に係る包装箱を形成するためのブランクの展開図である。
【図４】本発明の好ましい一実施形態に係る包装箱の開封操作を説明する、一部を透視した状態で示す斜視図である。
【図５】本発明の好ましい一実施形態に係る包装箱の開封操作を説明する、一部を透視した状態で示す斜視図である。
【図６】本発明の他の実施形態に係る包装箱を、一部を透視した状態で示す斜視図である。
【図７】本発明のさらに他の実施形態に係る包装箱を、一部を透視した状態で示す斜視図である。
【図８】（ａ）〜（ｈ）は、フラップ部易破断線の他の形態を例示する正面図でる。
【図９】（ａ）、（ｂ）は、切断部を除去するための切込み線の説明図である。
【図１０】ロック機構の他の形態を例示する略示正面図である。
【発明を実施するための形態】
【００１２】
図１に示す発明の好ましい一実施形態に係る包装箱１０は、物品として、例えば化粧料を充填収容した円柱形状の化粧品用の容器（図示せず）を梱包して、化粧製品として製品化される。また、本実施形態の包装箱１０は、前後一対の正面板１１ａ，１１ｂと、左右一対の側面板１２ａ，１２ｂとからなる筒状本体１３の下端部の開口を、底面メインフラップ２６（図３参照）等によって形成される底面部１５によって閉塞してから、筒状本体１３の内部に物品を、筒状本体１３の上端部の開口を介して収容する。しかる後に、筒状本体１３の上端部の開口を、上面メインフラップ１８（図３参照）等によって形成される上面部１４によって閉塞することによって、内部に物品を収容した中空の六面体形状に組み立てられる。本実施形態の包装箱１０は、易破断線１９を破断させることで初めて開封できるようになっていると共に、一度開封した後も、上面部１４を開閉して、収容された物品をスムーズに出し入れできるようになっており、また易破断線１９や易破断線１９を破断させた部分は、外観上目立たない位置に形成されている。
【００１３】
そして、本実施形態の包装箱１０は、図１及び図２に示すように、前後一対の正面板１１ａ，１１ｂと左右一対の側面板１２ａ，１２ｂと上面部１４と底面部１５とを含み、中空の六面体形状を備える包装用の箱であって、上面部１４は、左右一対の側面板１２ａ，１２ｂの上端部に折曲線１６ａを介して各々連接された上面サイドフラップ１７ａ，１７ｂを内側に折り込むと共に、一方の正面板１１ａの上端部に折曲線１６ｂを介して連接された上面メインフラップ１８を折り重ね、この上面メインフラップ１８の先端部に折曲線１６ｃを介して連接された差込みフラップ１８ａを他方の正面板１１ｂの上端部分の内側に差し込むことによって形成されている。左右一対の側面板１２ａ，１２ｂの少なくとも一方の側面板１２ａ（本実施形態では一方の側面板１２ａ）の上端部分には、両端部１９ａ，１９ｂが上面サイドフラップ１７ａとの間の折曲線１６ａに接続する易破断線１９が、指の先端部が収まる大きさの凹形状に延設して設けられており、上面メインフラップ１８の一方の側縁部には、一方の側面板１２ａの易破断線１９によって囲まれる破断部２０に収まる大きさの固着片２１が、折曲線１６ｄを介して側方に突出して破断部２０と対応する位置に設けられている。固着片２１は、上面部１４が形成された状態で、破断部２０に外側から重ねて接着される。
【００１４】
また、本実施形態では、易破断線１９及び破断部２０は、他方の正面板１１ｂに近接する部分に設けられており、易破断線１９の他方の正面板１１ｂから離れる側の端部１９ａに接続して、フラップ部易破断線２２が、サイドフラップ１７ａの周縁部に到るように延設して設けられている。
【００１５】
本実施形態の包装箱１０は、図３に示すような、例えば一枚の紙製のブランク２３を用いて形成される。ブランク２３は、六面体形状の包装箱１０を展開した所定の形状となるように、例えば薄板状の紙製のシート材料を打ち抜いて裁断することで容易に得ることができる。ブランク２３は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１６】
また、ブランク２３には、例えば罫線等からなる折曲線１６ａ，１６ｂ，１６ｃ，１６ｄ，１６ｅ，１６ｆ，１６ｇ，１６ｈ，２４や、ミシン等からなる易破断線１９，２２，３２，３４や、全切れ線等からなる切込み２７が、適宜の位置に設けられていることで、ブランク２３から包装箱１０を、六面体形状となるように容易に組み立てることができる。
【００１７】
本実施形態では、裁断された図３に示すブランク２３において、展開図の左側には、例えば縦幅が６１．５ｍｍ程度、横幅が６７ｍｍ程度の大きさの、略正方形の一方の正面板１１ａが配置されている。一方の正面板１１ａの右側には、縦方向折曲線２４を介して、例えば縦幅が６１．５ｍｍ程度、横幅が６６．５ｍｍ程度の大きさの、略正方形の一方の側面板１２ａが連接している。一方の側面板１２ａの右側には、縦方向折曲線２４を介して、例えば縦幅が６１．５ｍｍ程度、横幅が６７ｍｍ程度の大きさの、略正方形の他方の正面板１１ｂが連接している。他方の正面板１１ｂのさらに右側には、縦方向折曲線２４を介して、例えば縦幅が６１．５ｍｍ程度、横幅が６６．５ｍｍ程度の大きさの、略正方形の他方の側面板１２ｂが連接している。また、一方の正面板１１ａの左側には、縦方向折曲線２４を介して、例えば一方の正面板１１ａと同様の縦幅を備えると共に、２５ｍｍ程度の横幅で、接着接合片２５が側方に張り出して連接している。
【００１８】
一方の正面板１１ａの上方には、折曲線１６ｂを介して、例えば縦幅が６６ｍｍ程度、横幅が６７ｍｍ程度の大きさの、略正方形の上面メインフラップ１８が連接している。上面メインフラップ１８の上方には、折曲線１６ｃを介して、例えば上面メインフラップ１８と同様の横幅を備えると共に、１５ｍｍ程度の縦幅で、差込みフラップ１８ａが上方に張り出して連接している。
【００１９】
また、本実施形態では、上面メインフラップ１８の右側の側縁部から側方に突出して、固着片２１が、折曲線１６ｄを介して連接して設けられている。固着片２１は、指の先端部が収まる大きさとして、例えば縦幅が１９ｍｍ程度、横幅が１４ｍｍ程度の大きさの、略直角台形の形状を備えており、一方の側面板１２ａに設けられた易破断線１９によって囲まれる破断部２０と対応する位置として、差込みフラップ１８ａと近接する部分に設けられている。
【００２０】
一方の正面板１１ａの下方には、折曲線１６ｅを介して、例えば縦幅が６５ｍｍ程度、横幅が６７ｍｍ程度の大きさの、略正方形の底面メインフラップ２６が連接している。底面メインフラップ２６の下方には、折曲線１６ｆを介して、例えば底面メインフラップ２６と同様の横幅を備えると共に、１６ｍｍ程度の縦幅で、差込みフラップ２６ａが下方に張り出して連接している。底面メインフラップ２６と差込みフラップ２６ａとの間の折曲線１６ｆの両端部分には、後述する底面サイドフラップ２８ａ，２８ｂの基端部に設けられたロック片２９との間で公知のロック機構を構成する、ロック用切込み２７が形成されている。
【００２１】
また、本実施形態では、底面メインフラップ２６の右側の側縁部から側方に突出して、底部固着片３０が、折曲線１６ｇを介して連接して設けられている。底部固着片３０は、上面メインフラップ１８に設けられた固着片２１と同様に、指の先端部が収まる大きさとして、例えば縦幅が１９ｍｍ程度、横幅が１４ｍｍ程度の大きさの、略直角台形の形状を備えており、一方の側面板１２ａに設けられた後述する底部易破断線３２によって囲まれる破断部３３と対応する位置として、差込みフラップ２６ａと近接する部分に設けられている。
【００２２】
一方の側面板１２ａの上端部分には、当該側面板１２ａと上面サイドフラップ１７ａとの間の折曲線１６ａに両端部１９ａ，１９ｂが接続する、例えばミシン目等からなる易破断線１９が設けられている。易破断線１９は、本実施形態では、指の先端部が収まる大きさとして、例えば縦幅が２０ｍｍ程度、横幅が１５ｍｍ程度の大きさの、略直角台形状の破断部２０を形成するように、これの外周に沿って、略直角台形状の凹形状に延設して設けられている。また本実施形態では、易破断線１９及び当該易破断線１９によって周囲を囲まれる破断部２０は、上面メインフラップ１８の差込みフラップ１８ａが内側に差し込まれる、他方の正面板１１ｂに近接する部分に設けられている。易破断線１９及び破断部２０が、他方の正面板１１ｂに近接する部分に設けられていることにより、易破断線１９を破断させて上面部１４を開封する操作を、さらにスムーズに行うことが可能になる。また、易破断線１９及び破断部２０が、他方の正面板１１ｂに近接する部分に設けられていることにより、包装箱１０が閉塞されている状態で、上面メインフラップ１８が接着されていない部分の隙間を介して指を入れることで、収容された物品が、無理やり取り出されることになるのを効果的に回避することが可能になると共に、包装箱１０において剛性が高くなっている角部分に易破断線１９及び破断部２０が配設されるので、包装箱１０が比較的薄いブランク２３によって形成されていても（撓んでしまうことなく）、破断部２０に指を押し込んで易破断線１９を容易に破断させることが可能になる。
【００２３】
一方の側面板１２ａの上方には、折曲線１６ａを介して、例えば縦幅が４０ｍｍ程度、基端部における横幅が６６．５ｍｍ程度の大きさの、略直角台形の形状を備える一方の上面サイドフラップ１７ａが連接している。一方の上面サイドフラップ１７ａには、一方の側面板１２ａの上端部分に形成された易破断線１９の、他方の正面板１１ｂから離れる側の端部１９ａに接続して、フラップ部易破断線２２が、上面サイドフラップ１７ａの、斜辺部となった他方の正面板１１ｂ側の側縁部（周縁部）に到るように延設して設けられている。本実施形態では、フラップ部易破断線２２は、点付け部を介して介在させて連設する、くの字状切込み２２ａと、弧状切込み２２ｂとを含んで形成されている。また、一方の上面サイドフラップ１７ａの、斜辺部となった他方の正面板１１ｂ側の側縁部の基端部には、上面メインフラップ１８の差込みフラップ１８ａを係止させるロック片２９が、外側に突出して設けられている。
【００２４】
また、本実施形態では、フラップ部易破断線２２の、上面サイドフラップ１７ａの周縁部側の端部は、当該上面サイドフラップ１７ａの周縁部分に切欠き形成された、周縁切欠き部３１と接続している。フラップ部易破断線２２の周縁部側の端部が、周縁切欠き部３１と接続していることにより、包装箱１０の開封時に、易破断線１９を破断させるのに引き続いて、フラップ部易破断線２２を破断させることで、破断部２０と共に上面サイドフラップ１７ａのフラップ部易破断線２２よりも外側部分３８を切り離す際に、破断させる力を負荷させ難くなるフラップ部易破断線２２の終端部分において、周縁切欠き部３１に繋げることによって、当該終端部分における切り離しを、綺麗に、且つスムーズに行うことが可能になる。
【００２５】
本実施形態では、一方の側面板１２ａの下端部分には、当該側面板１２ａと下面サイドフラップ２８ａとの間の折曲線１６ｈに両端部３２ａ，３２ｂが接続する、例えばミシン目からなる易破断線３２が設けられている。易破断線３２は、上端部分の易破断線１９と同様に、指の先端部が収まる大きさとして、例えば縦幅が２０ｍｍ程度、横幅が１５ｍｍ程度の大きさの、略直角台形状の破断部３３を形成するように、これの外周に沿って、略直角台形の凹形状に延設して設けられている。また本実施形態では、易破断線３２及び当該易破断線３２によって周囲を囲まれる破断部３３は、底面メインフラップ２６の差込みフラップ２６ａが内側に差し込まれる、他方の正面板１１ｂに近接する部分に設けられている。
【００２６】
一方の側面板１２ａの下方には、折曲線１６ｈを介して、例えば縦幅が４０ｍｍ程度、基端部における横幅が６６．５ｍｍ程度の大きさの、略直角台形の形状を備える一方の底面サイドフラップ２８ａが連接している。一方の底面サイドフラップ２８ａには、一方の上面サイドフラップ１７ａと同様に、一方の側面板１２ａの下端部分に形成された易破断線３２の、他方の正面板１１ｂから離れる側の端部３２ａに接続して、フラップ部易破断線３４が、底面サイドフラップ２８ａの、斜辺部となった他方の正面板１１ｂ側の側縁部（周縁部）に到るように延設して設けられている。底面サイドフラップ２８ａに設けられたフラップ部易破断線３４もまた、点付け部を介在させて連設する、くの字状切込み３４ａと、弧状切込み３４ｂとを含んで形成されている。
【００２７】
また、本実施形態では、フラップ部易破断線３４の、底面サイドフラップ２８ａの周縁部側の端部は、当該底面サイドフラップ２８ａの周縁部分に切欠き形成された、周縁切欠き部３５と接続している。さらに、本実施形態では、一方の底面サイドフラップ２８ａの、斜辺部となった他方の正面板１１ｂ側の側縁部の基端部には、底面メインフラップ２６に形成されたロック用切込み２７との間で公知のロック機構を構成するロック片２９が、外側に突出して設けられている。
【００２８】
本実施形態では、他方の正面板１１ｂの上方には、仮折曲線３６を介して、例えば縦幅が４０ｍｍ程度、横幅が６７ｍｍ程度の大きさの、略横長矩形の看板部３７が連接して設けられている。看板部３７は、仮折曲線３６を折り曲げることなく、他方の正面板１１ｂと略面一になった状態を保持して、中空の六面体形状の包装箱１０が組み立てられた際に、他方の正面板１１ｂから上方に立設して設けられた、当該看板部３７を形成する（図１参照）。
【００２９】
他方の側面板１２ｂの上方には、折曲線１６ａを介して、例えば縦幅が４０ｍｍ程度、基端部における横幅が６６．５ｍｍ程度の大きさの、略直角台形の形状を備える他方の上面サイドフラップ１７ｂが連接している。これによって、易破断線１９及び破断部２０が設けられた一方の側面板１２ａと対向する他方の側面板１２ｂに連接された、当該他方の上面サイドフラップ１７ｂは、前後一対の正面板１１ａの幅の半分よりも長い長さで延設して設けられていることになる。他方の側面板１２ｂに連接された他方の上面サイドフラップ１７ｂが、前後一対の正面板１１ａの幅の半分よりも長い長さで延設していることにより、包装箱１０が閉塞されている状態で、上面メインフラップの、一方の側面板１２ａの破断部２０に固着片２１が固着された側縁部とは反対側の側縁部から、当該反対側の側縁部と、他方の側面板１２ｂの上縁部との間の隙間を介して指を入れることで、収容された物品が、無理やり取り出されることになるのを、効果的に回避することが可能になる。また、他方の上面サイドフラップ１７ｂの、斜辺部となった他方の正面板１１ｂ側の側縁部の基端部には、上面メインフラップ１８の差込みフラップ１８ａを係止させるロック片２９が、外側に突出して設けられている。
【００３０】
他方の側面板１２ｂの下方には、折曲線１６ｈを介して、例えば縦幅が４０ｍｍ程度、基端部における横幅が６６．５ｍｍ程度の大きさの、略直角台形の形状を備える他方の底面サイドフラップ２８ｂが連接している。また、他方の底面サイドフラップ２８ｂの、斜辺部となった他方の正面板１１ｂ側の側縁部の基端部には、底面メインフラップ２６に形成されたロック用切込み２７との間で公知のロック機構を構成するロック片２９が、外側に突出して設けられている。
【００３１】
本実施形態では、包装箱１０は、上述のブランク２３を用いて、好ましくは公知の封緘装置（製箱機）を使用した簡単な工程によって、物品を収容した立体形状に容易に組み立てることができる。すなわち、例えば一方の正面板１１ａの左側に連接する接着接合片２５に接着剤を塗着した後に、接着剤を介して接着接合片２５を、他方の側面板１２ｂの側縁部に沿った内側面に接合することで、図２に示すように、各縦方向折曲線２４に沿って折り曲げられた前後一対の正面板１１ａ，１１ｂと左右一対の側面板１２ａ，１２ｂとからなる、矩形中空の断面形状を有する筒状本体１３が形成される。
【００３２】
筒状本体１３を形成したら、これの下端部の開口を、一対の底面サイドフラップ２８ａ，２８ｂと底面メインフラップ２６とを用いて閉塞する。すなわち、一対の側面板１２ａ，１２ｂの下方に各々連接する両側の底面サイドフラップ２８ａ，２８ｂを、折曲線１６ｈを介して内側に折り曲げると共に、これらの底面サイドフラップ２８ａ，２８ｂの上に下方から折り重ねるようにして、底面メインフラップ２６を、折曲線１６ｅを介して内側に折り曲げる。また底面メインフラップ２６の先端に折曲線１６ｆを介して連接する差込みフラップ２６ａを、他方の正面板１１ｂの下端部分の内側面に沿って差し込むと共に、折曲線１６ｆの両端部に形成されたロック用切込み２７を、一対の底面サイドフラップ２８ａ，２８ｂの基端部に形成されたロック片２９に各々係止する。これによって、筒状本体１３の下端部の開口を、一対の底面サイドフラップ２８ａ，２８ｂ及び底面メインフラップ２６からなる底面部１５で覆って閉塞する。
【００３３】
筒状本体１３の下端部の開口を閉塞したら、筒状本体１３の内部に物品を収容する。すなわち、本実施形態では、物品として、例えば化粧料を充填収容した円筒形状の化粧品用の容器を、これの底部側から上端部の開口を介して、筒状本体１３の内部にぴったりと納まるように挿入配置する。
【００３４】
底面部１５を閉塞した筒状本体１３の内部に物品を収容したら、筒状本体１３の上端部の開口を、一対の上面サイドフラップ１７ａ，１７ｂと上面メインフラップ１８とを用いて閉塞する。すなわち、一対の側面板１２ａ，１２ｂの上方に各々連接する両側の上面サイドフラップ１７ａ，１７ｂを、折曲線１６ａを介して内側に折り曲げると共に、これらの上面サイドフラップ１７ａ，１７ｂの上に上方から折り重ねるようにして、底面メインフラップ１８を、折曲線１６ｂを介して内側に折り曲げる。また上面メインフラップ１８の先端に折曲線１６ｃを介して連接する差込みフラップ１８ａを、他方の正面板１１ｂの上端部分の内側面に沿って差し込んで、一対の上面サイドフラップ１７ａ，１７ｂの基端部に形成されたロック片２９に各々係止する。
【００３５】
しかる後に、上面メインフラップ１８に設けられた固着片２１を、折曲線１６ｄを介して内側に折り曲げると共に、接着剤を用いて、一方の側面板１２ａの上端部分に設けられた、易破断線１９によって囲まれる破断部２０に、外側から重ねて接着する。また、底面メインフラップ２６に設けられた底部固着片３０を、折曲線１６ｇを介して内側に折り曲げると共に、接着剤を用いて、一方の側面板１２ａの下端部分に設けられた、底部易破断線３１によって囲まれる破断部３２に、外側から重ねて接着する。これらの接着剤を塗布する工程や接着工程は、同じ一方の側面板１２ａの上端部分と下端部分において、一度に行うことができる。
【００３６】
これらによって、筒状本体１３の下端部の開口を、一対の底面サイドフラップ２８ａ，２８ｂ及び底面メインフラップ２６からなる底面部１５で覆って、強固に且つ安定した状態で閉塞することが可能になり、また内部に物品が収容された筒状本体１３の上端部の開口を、一対の上面サイドフラップ１７ａ，１７ｂ及び上面メインフラップ１８からなる上面部１４で覆って、強固に且つ安定した状態で閉塞することが可能になると共に、六面体形状に組み立てられた包装箱１０の内部に円柱形状の化粧品用の容器が梱包された、化粧製品５０が製品化される。
【００３７】
また、本実施形態の包装箱１０は、上述のように簡便な構成を備えており、組立作業も簡素にすることができるので、効率良く化粧製品５０を製造することが可能になる。
【００３８】
一方、梱包された化粧品用の容器を包装箱１０から取り出すには、図４に示すように、一方の側面板１２ａの上端部分の、上面メインフラップ１８の固着片２１が固着された、易破断線１９によって囲まれる破断部２０に、指先によって押し込む力を負荷する。これによって、易破断線１９が破断するので、固着片２１と共に破断部２０が包装箱１０の内側に押し込まれると共に、破断部２０が押し込まれることで易破断線１９の内方に形成された開口穴３９を介して、指先を、包装箱１０の上端部の開口を閉塞する、上面メインフラップ１８の下側に差し込むことが可能になる。
【００３９】
しかる後に、差し込んだ指先によって、上面メインフラップ１８を持ち上げる力を負荷すれば、図５に示すように、図易破断線１９に続けてフラップ部易破断線２２を破断させながら、上面メインフラップ１８を容易に開放させることが可能になると共に、さらに両側の上面サイドフラップ１７ａ，１７ｂを開放させて、化粧品用の容器を包装箱１０から容易に取り出すことが可能になる。また、易破断線１９を破断させて化粧品用の容器を取り出した後も、上面メインフラップ１８は、そのままの形状を保持するので、必要に応じて固着片２１や、これに固着された上面サイドフラップ１７ａのフラップ部易破断線２２よりも外側部分３８を適宜取り除いて、上面メインフラップ１８を容易に開閉しながら、引き続き化粧品用の容器を包装箱１０に収容したり、包装箱１０から取り出したりすることが可能になる。
【００４０】
なお、本実施形態では、包装箱１０に収容される化粧品用の容器は、好ましくは円柱形状を有しており、六面形状の包装箱１０に収容された際に、易破断線１９が形成された一方の側面板１２ａの、他方の正面板１１ｂに近接する部分の裏側には、相当の大きさの隙間が保持されるので、破断部２０を指先によって押し込んで易破断線１９を破断させる操作を、よりスムーズに行うことが可能になる。
【００４１】
そして、上述の構成を備える本実施形態の包装箱１０及び化粧製品５０によれば、易破断線１９を破断させることで開封できるようにすると共に、一度開封した後も、物品を出し入れしながら、開閉操作をスムーズに行うことができ、また易破断線１９や易破断線を破断させた部分を外観上目立たなくして、美観を損わないようにすることが可能になる。
【００４２】
すなわち、本実施形態によれば、包装箱１０は、一方の側面板１２ａの上端部分に、両端部１９ａ，１９ｂが上面サイドフラップ１７ａとの間の折曲線１６ａに接続する易破断線１９が、指の先端部が収まる大きさの凹形状に延設して設けられており、上面メインフラップ１８の側縁部には、一方の側面板１２ａの易破断線１９によって囲まれる破断部２０に収まる大きさの固着片２１が、折曲線１６ｄを介して側方に突出して破断部２０と対応する位置に設けられており、固着片２１は、上面部１４が形成された状態で、破断部２０に外側から重ねて接着されている。
【００４３】
したがって、本実施形態によれば、易破断線１９を破断させて、固着片２１が固着された破断部２０を押し込むことによって、初めて包装箱１０を開封することができると共に、破断部２０が押し込まれて開封された後は、易破断線１９が破断していることが、一見して判別できるので、改竄防止機能を効果的に発揮することが可能になる。
【００４４】
また、易破断線１９が破断させて包装箱１０を開封した後も、上面メインフラップ１８は、そのままの形状を保持しているので、上面メインフラップ１８を容易に開閉しながら、引き続き化粧品用の容器を包装箱１０に収容したり、包装箱１０から取り出したりすることが可能になる。
【００４５】
さらに、易破断線１９や破断部２０は、一方の側面板１２ａの上端部分における、指先が納まる程度の僅かな領域にしか形成されていないため、包装箱１０を全体から見た際に、包装箱１０を開封する前のみならず、開封した後も、美観が損われるのを効果的に回避することが可能になる。また特に、包装箱１０を開封する前の状態では、破断部２０を覆って、これと略同じ形状の固着片２１が固着されているので、包装箱１０美観を向上させることも可能になる。
【００４６】
図６は、本発明の他の実施形態に係る包装箱４０を示すものである。図６に示す包装箱４０は、他方の正面板１１ｂから上方に立設する、看板部が設けられていないことが、上記実施形態の包装箱１０と相違している。その他の構成は、上記実施形態の包装箱１０と同様である。図６に示す包装箱４０によっても、上記実施形態の包装箱１０と同様の作用効果が奏される。
【００４７】
図７は、本発明のさらに他の実施形態に係る包装箱４１を示すものである。図７に示す包装箱４１は、上面メインフラップ１８の固着片２１が設けられた側縁部とは反対側の側縁部に、差込片４２が、折曲線１６ｉを介して側方に突出して設けられており、易破断線１９及び破断部２０が設けられた一方の側面板１２ａと対向する他方の側面板１２ｂの上面サイドフラップ１７との間の折曲線１６ａには、差込片４２と対応する位置に差込スリット４３が設けられており、上面部１４が形成された状態で、差込片４２が差込スリット４３に差込み係止されることが、上記実施形態の包装箱１０と相違している。その他の構成は、上記実施形態の包装箱１０と同様である。
【００４８】
図７に示す包装箱４１によっても、上記実施形態の包装箱１０と同様の作用効果が奏される他、差込片４２を差込スリット４３に差込み係止することで、ロック機能を発揮させて、易破断線１９を破断させて包装箱４１を開封する前の状態で、上面メインフラップ１８の、固着片２１が設けられた側とは反対側の側縁部が浮き上がろうとするのを効果的に抑えると共に、包装箱４１をさらに安定した状態で閉塞することが可能になる。
【００４９】
なお、本発明は上記実施形態に限定されることなく種々の変更が可能である。例えば、易破断線や破断部は、左右一対の側面板のうちの一方の側面板の上端部分にのみ設ける必要は必ずしも無く、両側の側面板の双方の上端部分に設けることもできる。また、易破断線や破断部は、他方の正面板に近接する部分に設ける必要は必ずしも無く、側面板の上端部分の中間部分に設けることもできる。さらに、左右一対の側面板の少なくとも一方の下端部分に、底部易破断線や破断部を設ける必要は必ずしも無い。包装箱を構成するブランクは、紙製のシート材料である必要は必ずしも無く、プラスチック製のシート材料等であっても良い。包装箱に収容される物品は、化粧料を充填収容した化粧品用の容器の他、その他の化粧品類、薬品類、菓子類、文房具類等の物品であっても良く、円柱形状を備えていなくても良い。
【００５０】
また、易破断線の他方の正面板から離れる側の端部に接続して、上面サイドフラップ１７ａの周縁部に到るように延設して設けられたフラップ部易破断線２２は、図８（ａ）〜（ｈ）に示すような、種々の形態のものを採用することができる。フラップ部易破断線２２として、これらの形態のものを採用したことにより、上記実施形態のフラップ部易破断線２２も含めて、易破断線１９を破断させるのに続けてフラップ部易破断線２２を破断させる際に、当該フラップ部易破断線２２から外れた方向に上面サイドフラップ１７ａが破断されてゆくことになるのを、効果的に回避することが可能になる。特に、フラップ部易破断線２２は、上面部１４を閉塞した状態では、上面メインフラップによって覆われて見えなくなっているので、フラップ部易破断線２２を直接視認しなくても、フラップ部易破断線２２から外れないように、上面サイドフラップ１７ａが破断される方向を誘導してゆくことが重要である。またフラップ部易破断線２２の終端部を上面サイドフラップ１７ａの側縁部とすることにより、フラップ部易破断線２２を破断させる長さを短くして、開封しやすくできると共に、開封する際の指の感触も向上する。
【００５１】
さらに、図９（ａ）、（ｂ）に示すように、一方の側面板１２ａと上面サイドフラップ１７ａとの間の折曲線１６ａに沿って、又はこれに近接して、切り取り線４４を入れておくことにより、易破断線１９を破断させてから、破断部２０を容易に取り除くことが可能になる。さらにまた、図１０に示すように、上面サイドフラップ１７ａの側縁部のフラップ部易破断線２２よりも先端側に、ロック片４５を突出させると共に、上面メインフラップ１８と差込フラップ１８ａとの間の折曲線１６ｃに近接させて、ロック用凹凸部４６を設けることで、ロック片２９と相俟って、易破断線１９を破断させて包装箱１０を開封した後に上面メインフラップ１８を再度閉塞した際の、ロック機構として機能させることもできる。
【符号の説明】
【００５２】
１０，４０，４１  包装箱
１１ａ  一方の正面板
１１ｂ  他方の正面板
１２ａ  一方の側面板
１２ｂ  他方の側面板
１３  筒状本体
１４  上面部
１５  底面部
１６ａ，１６ｂ，１６ｃ，１６ｄ，１６ｅ，１６ｆ，１６ｇ，１６ｈ  折曲げ線
１７ａ，１７ｂ  上面サイドフラップ
１８  上面メインフラップ
１８ａ  差込みフラップ
１９  易破断線
１９ａ，１９ｂ  易破断線の端部
２０  破断部
２１  固着片
２２  フラップ部易破断線
２３  ブランク
２４  縦方向折曲線
２５  接着接合片
２６  底面メインフラップ
２６ａ  差込みフラップ
２７  ロック用切込み
２８ａ，２８ｂ  底面サイドフラップ
２９  ロック片
３０  底部固着片
３１  周縁切欠き部
３２  底部易破断線
３３  破断部
３４  フラップ部易破断線
３５  周縁切欠き部
３６  仮折曲線
３７  看板部
３８  上面サイドフラップのフラップ部易破断線よりも外側部分
４２  差込片
４３  差込スリット
５０  化粧製品
【図１】
0005944737.tif 000002
【図２】
0005944737.tif 000003
【図３】
0005944737.tif 000004
【図４】
0005944737.tif 000005
【図５】
0005944737.tif 000006
【図６】
0005944737.tif 000007
【図７】
0005944737.tif 000008
【図８】
0005944737.tif 000009
【図９】
0005944737.tif 000010
【図１０】
0005944737.tif 000011